(57)【要約】      （修正有）【課題】サイズ調整が可能であって、体液の横漏れを防止することができるパンツ型の着用物品を提供する。【解決手段】着用物品１０は、前後ウエスト域のうちのいずれか一方のウエスト域に位置するサイズ調整手段１２を含み、サイズ調整手段は、シャーシ１１の非肌対向面側に固定され、一方のウエスト域の横方向における中央部側に位置する固定部５３と、固定部の横方向の外側に位置する一対の自由部５４とを含み、自由部は、シャーシの非肌対向面に止着可能な止着域５６と、固定部及び止着域の間に位置し、弾性的に伸縮可能な弾性部５８とを有する。【選択図】図１
0003211442.tif 000002
【実用新案登録請求の範囲】
【請求項１】
縦方向及び横方向と、肌対向面及びその反対側に位置する非肌対向面と、前ウエスト域と、後ウエスト域と、前記前後ウエスト域間に位置するクロッチ域とを有するシャーシと、前記前後ウエスト域のうちのいずれか一方のウエスト域に位置するサイズ調整手段と、前記前後ウエスト域の両側縁部を連結するシーム部によって画成されるウエスト開口及び一対のレッグ開口とを含むパンツ型の着用物品において、
前記サイズ調整手段は、前記シャーシの前記非肌対向面側に固定され、前記一方のウエスト域の前記横方向における中央部側に位置する固定部と、前記固定部の前記横方向の外側に位置する一対の自由部とを含み、
前記自由部は、前記シャーシの前記非肌対向面に止着可能な止着域と、前記固定部及び前記止着域の間に位置し、弾性的に伸縮可能な弾性部とを有することを特徴とする着用物品。
【請求項２】
前記シャーシは、前記クロッチ域から前記前後ウエスト域へ延びる吸液性パネルを含み、前記固定部は、平面視において前記吸液性パネルと重なって位置する請求項１記載の着用物品。
【請求項３】
前記シャーシは、前記クロッチ域から前記前後ウエスト域へ延びる防漏シートを含み、前記固定部は、平面視において前記防漏シートと重なって位置する請求項１又は２記載の着用物品。
【請求項４】
前記クロッチ域から前記前後ウエスト域へ延びる吸液性コアをさらに含み、前記固定部は、平面視において前記吸液性コアと重なって位置する請求項１〜３のいずれかに記載の着用物品。
【請求項５】
前記サイズ調整手段は、前記横方向に延びる一対の側縁を有し、前記一対の側縁のうち、前記クロッチ域側の側縁が、前記一方のウエスト域の下端縁と近接又は重なるように配置される請求項１〜４のいずれかに記載の着用物品。
【請求項６】
前記一方のウエスト域は、前記固定部と前記シーム部との間に位置して前記横方向に弾性的に伸縮可能な第１ウエスト弾性域を有し、
前記サイズ調整手段の前記弾性部の前記横方向における最大伸長の７０%伸長時における単位面積当たりの伸長応力は、前記第１ウエスト弾性域の前記横方向における最大伸長の７０%伸長時における単位面積当たりの伸長応力よりも高い請求項１〜５のいずれかに記載の着用物品。
【請求項７】
他方のウエスト域は、前記第１ウエスト弾性域と着用状態において対向する第２ウエスト弾性域を有し、前記第１ウエスト弾性域の前記横方向における伸長応力は、前記第２ウエスト弾性域の前記横方向における伸長応力よりも低い請求項６に記載の着用物品。
【請求項８】
前記サイズ調整手段は、長さ方向と、前記長さ方向に直交する幅方向とを有し、前記止着域の前記幅方向の寸法は、前記弾性部の前記幅方向の寸法よりも大きい請求項１〜７のいずれかに記載の着用物品。
【請求項９】
前記サイズ調整手段は、前記自由部の外端部が弾性的に非伸縮である請求項１〜８のいずれかに記載の着用物品。
【請求項１０】
前記固定部は、一対の前記自由部を連結するシート部材からなり、前記シャーシ及び前記サイズ調整手段を前記横方向に伸長させた状態の最大伸長時において、前記自由部の外端縁は、前記一方のウエスト域の前記両側縁部の側縁に一致する請求項１〜９のいずれかに記載の着用物品。
【請求項１１】
前記止着域は、前記他方のウエスト域における前記シャーシの前記非肌対向面に止着可能である請求項７に記載の着用物品。
【請求項１２】
前記自由部の外端部には、前記弾性部と比べて剛性の高い摘持部が形成される請求項１〜１１のいずれかに記載の着用物品。
【請求項１３】
前記弾性部は、弾性シートで形成される請求項１〜１２のいずれかに記載の着用物品。
【請求項１４】
前記前後ウエスト域において前記シーム部よりも前記横方向の外側に位置する部分は、弾性的に非伸縮である請求項１〜１３のいずれかに記載の着用物品。
【請求項１５】
前記サイズ調整手段の前記止着域が前記一方のウエスト域の前記非肌対向面に止着された状態でパッケージされる請求項１〜１４のいずれかに記載の着用物品。
【考案の詳細な説明】
【技術分野】
【０００１】
本考案は、パンツ型の着用物品に関し、より詳しくは、サイズ調整可能な手段を含む使い捨て失禁パンツ、使い捨てのトイレット・トレーニングパンツ、使い捨ておむつ等のパンツ型の着用物品に関する。
【背景技術】
【０００２】
従来、ウエスト寸法等を調整するためのサイズ調整手段を含むパンツ型の着用物品は公知である。例えば、特許文献１には、パンツ型の着用物品において、パンツ型のシャーシのウエスト域に固定された固定部と、シャーシの非肌対向面に止着可能な止着域を有する自由部とを有する弾性的に非伸縮なサイズ調整手段を含む着用物品が開示されている。
【先行技術文献】
【特許文献】
【０００３】
【特許文献１】特開２００８−８００２６号公報
【考案の概要】
【考案が解決しようとする課題】
【０００４】
特許文献１に開示された着用物品においては、ウエスト開口及びレッグ開口の伸長応力が比較的に低く設定されており、着用時にレッグ開口及びウエスト開口を容易に拡げて着用者が脚を挿し入れることができ、且つ、着用後に、サイズ調整手段によって着用物品のウエスト周りを狭くして着用者の身体にフィットさせることができる。しかし、開口部の伸長応力が低く設定されており、サイズ調整手段によって長さ調整された部分では、シャーシが縮められて開口部の収縮力が一層低下してしまう。そのため、例えば、起立状態及び横臥状態のように、着用者の姿勢が変化すると、身体と開口部との間に体液の漏れの原因となるような隙間が生じやすくなっていた。特に横臥状態では、着用物品と着用者の鼠蹊部との間にかかる隙間が形成され易いといえる。
【０００５】
そこで、本考案の目的は、従来の技術の改良であって、サイズ調整が可能であって、体液の横漏れを防止することができるパンツ型の着用物品の提供にある。
【課題を解決するための手段】
【０００６】
上記課題を達成するために、本考案が対象とするのは、縦方向及び横方向と、肌対向面及びその反対側に位置する非肌対向面と、前ウエスト域と、後ウエスト域と、前記前後ウエスト域間に位置するクロッチ域とを有するシャーシと、前記前後ウエスト域のうちのいずれか一方のウエスト域に位置するサイズ調整手段と、前記前後ウエスト域の両側縁部を連結するシーム部によって画成されるウエスト開口及び一対のレッグ開口とを有するパンツ型の着用物品である。
【０００７】
本考案は、上記着用物品において、前記サイズ調整手段は、前記シャーシの前記非肌対向面側に固定され、前記一方のウエスト域の前記横方向における中央部側に位置する固定部と、前記固定部の前記横方向の外側に位置する一対の自由部とを含み、前記自由部は、前記シャーシの前記非肌対向面に止着可能な止着域と、前記固定部及び前記止着域の間に位置し、弾性的に伸縮可能な弾性部とを有することを特徴とする。
【考案の効果】
【０００８】
本考案に係るパンツ型の着用物品によれば、固定部と、止着域を有する一対の自由部とを含むサイズ調整手段によって、着用物品のサイズ調整が可能である。また、一対の自由部は固定部の横方向の外側に位置し、且つ、固定部と止着部との間に弾性的に伸縮可能な弾性部を有しているため、サイズ調整をした後、弾性部の収縮力によって開口部を着用者にフィットさせることができる。更に、着用者が横臥状態であっても、一対の弾性部によってシャーシの中央部を横方向に引張って拡げた状態で着用者の鼠蹊部にフィットさせることができ、体液の横漏れを防止することができる。
【図面の簡単な説明】
【０００９】
図面は、本考案の特定の実施の形態を示し、考案の不可欠な構成ばかりでなく、選択的及び好ましい実施の形態を含む。
【図１】本考案に係るパンツ型の着用物品の一例として示すパンツ型の使い捨ておむつの正面図。
【図２】各弾性体の最大伸長時（弾性材料の収縮作用によるギャザーがなくなる程度）まで縦方向及び横方向に伸展したおむつの展開平面図。
【図３】おむつの一部破断分解斜視図。
【図４】図２で示す、一点鎖線ＩＶで囲んだ領域を裏面側から見た一部破断部分拡大図。
【図５】図４のＶ−Ｖ線に沿う模式的断面図。
【図６】（ａ）サイズ調整手段によるサイズ調整をする前のおむつの着用状態の様子を示す図。（ｂ）サイズ調整手段の使用状態の様子を示す図。
【図７】おむつの製造工程の一部を示す図。
【図８】おむつの他の実施形態を示す図４と同様の図。
【図９】図８のＩＸ−ＩＸ線に沿う模式的断面図。
【図１０】おむつの更に他の実施形態を示す正面図。
【考案を実施するための形態】
【００１０】
＜第１実施形態＞
下記の実施の形態は、図１〜６に示すパンツ型の着用物品に関し、考案の不可欠な構成ばかりではなく、選択的及び好ましい構成を含む。図２，４及び５において、後述する各弾性体は、その収縮力に抗して横方向Ｘ及び縦方向Ｙへの収縮力によるギャザーが無くなる程度にまで伸長された状態にある。
【００１１】
図１〜３を参照すると、本考案の第１実施形態に係るパンツ型の着用物品の一例であるパンツ型の使い捨ておむつ１０は、その幅寸法を二等分する縦中心線Ｐ及びその長さ寸法を二等分する横中心線Ｑと、縦中心線Ｐに沿う縦方向Ｙ及び横中心線Ｑに沿う横方向Ｘとを有し、肌対向面及びその反対側に位置する非肌対向面とを有するシャーシ１１と、シャーシ１１の非肌対向面に配置されたサイズ調整バンド（サイズ調整手段）１２とを含む。
【００１２】
＜シャーシ＞
シャーシ１１は、縦中心線Ｐに関して対称に形成されており、前ウエスト域１３と、後ウエスト域１４と、前後ウエスト域１３，１４の間に位置するクロッチ域１５とを有し、前後ウエスト域１３，１４を画成するウエスト周り方向へ延びる環状の弾性ウエストパネルと、クロッチ域１５から前後ウエスト域１３，１４へ延び、弾性ウエストパネルの肌対向面側に取り付けられた吸液性パネル１７とを含む。本実施形態において、サイズ調整バンド１２は、シャーシ１１の前ウエスト域１３に配置されている。但し、後記の本考案の効果を奏する限りにおいて、前ウエスト域１３ではなく後ウエスト域１４に配置されていてもよい。
【００１３】
＜弾性ウエストパネル＞
図２を参照すると、弾性ウエストパネルは、前ウエスト域１３に位置する前ウエストパネル１８と、後ウエスト域１４に位置する後ウエストパネル１９とを含む。前後ウエストパネル１８，１９は、吸液性パネル１７の前後端部１７Ａ，１７Ｂと交差し、横方向Ｘへ延びる中間内端縁１８ａ，１９ａと、縦方向Ｙにおいて中間内端縁１８ａ，１９ａと離間対向して横方向Ｘへ延びる外端縁１８ｂ，１９ｂと、外端縁１８ｂ，１９ｂから縦方向Ｙへ延びる両外側縁１８ｃ，１９ｃと、両外側縁１８ｃ，１９ｃと中間内端縁１８ａ，１９ａとをつなぐ凹曲状の両内側縁１８ｄ，１９ｄとによって、略台形状に形成される。前後ウエストパネル１８，１９は、それぞれ、横方向Ｘにおいて吸液性パネル１７が配置される中央部２０Ａ，２１Ａと、吸液性パネル１７の横方向Ｘ外側に位置する両側部２０Ｂ，２１Ｂとを有する。前ウエストパネル１８の両外側縁１８ｃと後ウエストパネル１９の両外側縁１９ｃとは、互いに重ね合わされて、縦方向Ｙへ断続的に延びるシーム部２２によって連結されることによってウエスト開口２３及び一対のレッグ開口２４が画定される。シーム部２２では、熱又は超音波によるエンボス加工によって互いに重なり合うシートが融着される。本実施形態において、前後ウエスト域１３，１４は、シーム部２２によってその両側縁部が連結されるものである。
【００１４】
図３を参照すると、前後ウエストパネル１８，１９は、肌対向面側に位置する内層シート３０，３１と、着衣対向面側に位置する外層シート３２，３３と、横方向Ｘへ延びる複数条のストリング状又はストランド状の弾性材料から形成され、内外層シート３０，３１，３２，３３の間においてホットメルト接着剤を介して伸長状態で収縮可能に取り付けられた前後ウエスト弾性体３４，３５とを有し、後ウエストパネル１９は、更に、臀部弾性体３６を有する。臀部弾性体３６は、後ウエスト域１４からクロッチ域１５に亘ってレッグ開口縁部に沿って延びる複数条のストリング状又はストランド状の弾性材料から形成され、内外層シート３０，３１，３２，３３の間においてホットメルト接着剤を介して伸長状態で収縮可能に取り付けられる。
【００１５】
図２を参照すると、前ウエストパネル１８は、ウエスト開口縁側において横方向Ｘへ延びる前上方ウエスト弾性域３７Ａと、前ウエスト域１３のクロッチ域１５側において横方向Ｘへ延びる前下方ウエスト弾性域（第１ウエスト弾性域）３７Ｂとを有する。前上方ウエスト弾性域３７Ａは、吸液性パネル１７の縦方向Ｙ外側に位置し、両外側縁１８ｃ間を連続して延びる複数条の前ウエスト弾性体３４が配置される。前下方ウエスト弾性域３７Ｂに配置される複数条の前ウエスト弾性体３４は、横方向Ｘにおいて吸液性パネル１７と重なり、平面視において吸液性パネル１７と重なる部位には、前ウエスト弾性体３４が配置されていない非弾性域が形成される。
【００１６】
後ウエストパネル１９は、ウエスト開口縁側において横方向Ｘへ延びる後上方ウエスト弾性域３８Ａと、後ウエスト域１４のクロッチ域１５側において横方向Ｘへ延びる後下方ウエスト弾性域（第２ウエスト弾性域）３８Ｂと、クロッチ域１５に位置する臀部弾性域３８Ｃとを有する。後上方ウエスト弾性域３８Ａは、吸液性パネル１７の縦方向Ｙ外側に位置し、両外側縁１９ｃ間を連続して延びる複数条の後ウエスト弾性体３５が配置される。後下方ウエスト弾性域３８Ｂには、複数条の後ウエスト弾性体３５と、後ウエスト域１４に位置する複数条の臀部弾性体３６の一部とが配置される。後下方ウエスト弾性域３８Ｂに配置される後ウエスト弾性体３５は、横方向Ｘにおいて吸液性パネル１７と重なり、平面視において吸液性パネル１７と重なる部位には、後ウエスト弾性体３５が配置されていない非弾性域が形成される。臀部弾性域３８Ｃはクロッチ域１５に位置し、複数条の臀部弾性体３６が配置され、平面視において吸液性パネル１７が重なる部位には、臀部弾性体３６が配置されていない非弾性域が形成される。前後ウエスト域１３，１４に位置する各非弾性域は、その両側に位置する弾性域を構成するウエスト弾性体が切断又は除去されていることのほかに、その収縮力が実質的に発現しないような態様で一部が配置されている場合を含む。
【００１７】
前後ウエストパネル１８，１９を構成する各種のシート、すなわち、内外層シート３０，３１，３２，３３は、質量約１５〜３０ｇ／ｍ２の疎水性のスパンボンド不織布またはＳＭＳ（スパンボンド・メルトブローン・スパンボンド）繊維布、プラスチックフィルム又はそれら不織布の少なくとも一つとのラミネートシート等から形成することができる。互いに積層されたシートは、少なくともいずれか一方の内面に間欠的に塗布されたホットメルト接着剤公知の接合手段によって接合される。
【００１８】
前後ウエスト弾性体３４，３５及び臀部弾性体３６は、繊度が約３５０〜１２５０ｄｔｅｘであって、収縮または弛緩された状態から約１．８〜３．５倍に伸長されたストリング状またはストランド状の弾性材料から形成することができる。但し、各弾性体の繊度や伸長倍率は所要の収縮力や伸長応力に応じて適宜変更することができる。前後ウエスト域１３，１４に前後ウエスト弾性体３４，３５が配置されることによって、その外面には複数のギャザー４０が形成され、全体としてギャザーリングされている。
【００１９】
＜吸液性パネル＞
図２を参照すると、吸液性パネル１７は、縦長の略矩形状であって、前ウエストパネル１８の肌対向面と連結された前端部１７Ａと、後ウエストパネル１９の肌対向面と連結された後端部１７Ｂと、前後端部１７Ａ，１７Ｂ間において縦方向Ｙへ延び、クロッチ域１５の一部を形成する中間部１７Ｃとを有する。
【００２０】
図２及び図３を参照すると、吸液性パネル１７は、透液性の身体側ライナ４７とそれに身体側が被覆された吸収体とを有する吸液構造体４１と、吸収体の着衣対向面側に位置する疎水性の被覆シート４２とを含む。身体側ライナ４７は、例えば、質量約１５〜２５ｇ／ｍ２の親水化処理されたスパンボンド繊維不織布、ＳＭＳ繊維不織布等から形成することができる。吸収体は、フラッフ木材パルプや超吸収性ポリマー粒子等の吸収性・離散材料から形成された吸液性コア４８と、吸液性コア４８全体を包被する質量約１０〜２０ｇ／ｍ２のティッシュペーパ等から形成された透液性のコアラップシート（図示せず）とを有する。被覆シート４２は、質量約１０〜２０ｇ／ｍ２の疎水性のＳＭＳ繊維不織布やスパンボンド不織布等から形成される。被覆シート４２と吸液構造体４１との間には、質量約１０〜２５ｇ／ｍ２の通気性を有するプラスチックフィルムから形成された防漏シート４３が配置される。吸液構造体４１の両側部は、内方に向かって折り曲げられており、縦方向Ｙへ延びる複数条のストランド状又はストリング状のレッグ弾性体４４が伸長状態で収縮可能に取り付けられる。
【００２１】
被覆シート４２の両側部は、内方へ向かって折り曲げられて、その前後端部が接合部４５を介して吸液構造体４１上に固定されている。両側部には、縦方向Ｙへ延びる、繊度が約４００〜８００ｄｔｅｘであって、収縮または弛緩された状態から約２．０〜３．０倍に伸長された複数条のストリング状又はストランド状の弾性材料から形成されたカフ弾性体４６が配置される。おむつ１０の着用状態において、両側部は、カフ弾性体４６の収縮作用によって着用者の身体側へ起立するバリアカフを形成する。
【００２２】
＜サイズ調整バンド＞
図１及び図３〜５を参照すると、サイズ調整バンド１２は、シャーシ１１の非肌対向面と対向する内面５１及びその反対側の外面５２と、互いに直交する長さ方向Ｒ及び幅方向Ｓと、長さ方向Ｒにおいて互いに対向する一対の外端縁１２ａ，１２ｂと、外端縁１２ａ，１２ｂ間を長さ方向Ｒに沿って延びる両側縁１２ｃ，１２ｄとによって画定された略矩形の帯状を有する。サイズ調整バンド１２は、前ウエスト域１３の中央部２０Ａにおいてシャーシ１１の非肌対向面に接合部６０を介して固定される固定部５３と、固定部５３から外端縁１２ａ，１２ｂ側へ延びる一対の自由部５４とを有する。サイズ調整バンド１２は、縦軸Ｐに関して対称に形成されており、図４及び図５においては、サイズ調整バンド１２の横方向Ｘにおける一方側に位置する固定部５３及び自由部５４に関してのみ説明しているが、他方側に位置する固定部５３及び自由部５４についても同様の構成を有する。本実施形態において、固定部５３は一対の自由部５４を連結する連続したシート部材から構成されているが、例えば、サイズ調整バンド１２を形成するシート部材が中央部２０Ａで分離しており、横方向Ｘに離間する一対の固定部５３及び自由部５４からなる構成であってもよい。
【００２３】
自由部５４は、固定部５３に連接された、その長さ方向Ｒ（本実施形態における横方向Ｘ）に弾性的に伸縮可能な弾性部５８と、弾性部５８から外端縁１２ａ，１２ｂ側へ延びる摘持部５７（外端部５４ａ）とを有する。弾性部５８は、固定部５３と摘持部５７との間において、少なくとも一部が弾性的に伸縮可能であればよく、全体が弾性的に伸縮しない構成であってもよい。固定部５３及び自由部５４は、長さ方向Ｒに一連に延びてサイズ調整バンド１２の外形をなす、単数又は複数のシート部材から形成された帯状シート６４と、帯状シート６４に取り付けられて弾性部５８に弾性を付与するバンド弾性体６３とを有する。本実施形態において、帯状シート６４は、シャーシ１１の非肌対向面に対向する内面シート６１と、内面シート６１の外面と対向して位置する外面シート６２とから構成されており、両シート６１，６２はそれらの互いに対向する面のいずれか一方に塗布されたホットメルト接着剤（図示せず）を介して接合される。本実施形態において、「弾性部５８」とは、バンド弾性体６３の配置された領域を意味し、その収縮力が作用する領域を意味するものではない。したがって、弾性部５８の両側縁はサイズ調整バンド１２の両側縁１２ｃ，１２ｄよりも内方へ位置しており、弾性部５８の幅寸法Ｗ３は、サイズ調整バンド１２の幅寸法Ｗ２よりも小さくなっている。
【００２４】
帯状シート６４を構成する内外面シート６１，６２は、公知の繊維不織布、例えば、質量が約１０〜４０ｇ／ｍ２、好ましくは、約１５〜３０ｇ／ｍ２のスパンボンド繊維不織布、ＳＭＳ繊維不織布やエアースルー繊維不織布から形成される。バンド弾性体６３は、長さ方向Ｒへ延びる、繊度が約４００〜１２００ｄｔｅｘであって、収縮又は弛緩した状態から約１．５〜３．０倍に伸長された複数条のストリング状又はストランド状の弾性材料から形成される。但し、各弾性体の繊度や伸長倍率は所要の収縮力や伸長応力に応じて適宜変更することができる。本実施形態において、バンド弾性体６３は固定部５３の一部に実質的に収縮力を発現しない態様で配置されているとともに、自由部５４の外端部５４ａにおいてバンド弾性体６３は実質的に収縮力を発現しない態様で配置されており、外端部５４ａは非弾性を有する。なお、バンド弾性体６３は固定部５３や外端部５４ａに配置されていない構成とすることもできる。また、バンド弾性体６３は、帯状の弾性シートから形成してもよいし、帯状シート６４を弾性シートで形成し、固定部５３及び摘持部５７において非弾性化処理してもよい。
【００２５】
摘持部５７における帯状シート６４には、比較的に剛性の高い繊維不織布又はプラスチックフィルムから形成されたタブシート５７ａが配置されており、タブシート５７ａの外面（前ウエスト域１３と対向する面）には、止着域５６が配置される。タブシート５７ａは、摘持部５７が他の領域と識別できるように着色することができる。止着域５６は、前後ウエスト域１３，１４の外面を形成する外層シート３２，３３又はそれらの外面に配置された受止部（メカニカルファスナのループ群）に止着可能なメカニカルファスナのフック群を有する。止着域５６は、メカニカルファスナのフック群のほかに、感圧性接着剤から形成することもできる。
【００２６】
サイズ調整バンド１２の長さ寸法（横方向Ｘの寸法）Ｌ１は約５００〜６００ｍｍであって、シャーシ１１の前ウエスト域１３における横方向Ｘの寸法Ｗ１とほぼ等しく形成される。また、前ウエスト域１３の幅寸法（縦方向Ｙの寸法）Ｌ２は約１５０〜２５０ｍｍであり、サイズ調整バンド１２の幅寸法（縦方向Ｙの寸法）Ｗ２は約２０〜１００ｍｍである。なお、サイズ調整バンド１２の長さ寸法Ｌ１は、シャーシ１１の寸法Ｗ１よりも長く又は短く形成することもできる。
【００２７】
図４を参照すると、止着域５６は、サイズ調整バンド１２の両側縁１２ｃ，１２ｄ間において縦方向Ｙへ延びており、その幅寸法はサイズ調整バンド１２の幅寸法Ｗ２と同じである。したがって、止着域５６の幅寸法は、両側縁１２ｃ，１２ｄから内方へ離間して位置する弾性部５８の幅寸法Ｗ３よりも大きく、その両端縁５６ａ，５６ｂは弾性部５８の両側縁５８ａ，５８ｂよりも幅方向Ｓの外側に位置している。このように、弾性部５８の両側縁５８ａ，５８ｂよりも止着域５６の両端縁５６ａ，５６ｂが幅方向Ｓの外側に位置することによって、サイズ調整バンド１２の使用中に、両側縁１２ｃ，１２ｄが弾性部５８の収縮作用によって捲れ上がるのを抑制することができる。
【００２８】
止着域５６は、おむつ１０をパッケージから取り出した状態において、前ウエスト域１３を形成するシャーシ１１の非肌対向面に止着されていることが好ましい。また、おむつ１０の製造工程中において、止着域５６又は摘持部５７が位置する部分をシャーシ１１の非肌対向面にヒートシール等によって予め仮止めしてもよい。図５を参照すると、おむつ１０は摘持部５７において接合部位５９を介してシャーシ１１に仮止めされている。このように止着域５６や摘持部５７を止着又は仮止めすることによって、サイズ調整バンド１２の未使用時に、止着域５６が着用者の身体に触れて刺激を与えたりする虞をなくし、また、おむつ１０の搬送中にサイズ調整バンド１２が捲れることを防止することができる。また、摘持部５７に比較的に剛性の高いタブシート５７ａが配置されていることによって、摘持部５７を摘持する際に操作し易く、タブシート５７ａが配置されていない場合に比べて操作性に優れる。さらに、自由部５４の外端部５４ａにおいては、バンド弾性体６３が実質的に収縮力を発現しない状態で配置されていることから、摘持部５７は非弾性を有する。したがって、サイズ調整バンド１２を引っ張って止着域５６を後ウエスト域１４又はクロッチ域１５の外面に止着した状態において、止着域５６にバンド弾性体６３の収縮力、すなわち、止着域５６を剥離しようとする力（前方へ向かう力）が直接的に作用することはなく、摘持部５７が弾性を有する場合に比して、安定的に止着される。
【００２９】
図６（ａ），（ｂ）を参照すると、例えば、細身の着用者であって、着用者の胴周り及び／又は脚周りがおむつ１０の対応する各寸法よりもひと回り小さい場合において、サイズ調整バンド１２を使用するときには、まず、おむつ１０の側縁とサイズ調整バンド１２の外端縁１２ａ，１２ｂとの間に指を差し入れて摘持部５７を摘んで止着域５６による止着を解除するように、おむつ１０の外方へ向かって引っ張る（図５の仮想線参照）。次に、摘持部５７を摘持して引っ張った状態のまま、すなわち、弾性部５８を伸長させた状態を維持して止着域５６を後ウエスト域１４（又はクロッチ域１５）へ向かって引っ張ってその外面に止着する。このように、サイズ調整バンド１２を後方へ引っ張ったときに、固定部５３の位置する吸液性コア４８の前端部が後方へ引き寄せられて、前ウエスト域１３の両側部２０Ｂが縮められる。すなわち、剛性の比較的に高い吸液性コア４８が後方へ引き寄せられた状態で止着域５６が後ウエスト域１４に止着されるので、比較的に剛性の弱い両側部２０Ｂの一部が寄せ集められて、その横方向Ｘの寸法が小さくなる。それによって、おむつ１０のウエスト周りの寸法が小さくなって、ひと回り小さな着用者の胴回りにフィットされる。また、サイズ調整バンド１２を引っ張って弾性部５８の弾性力が効いた状態で後ウエスト域１４に止着させることにより、吸液性コア４８の位置する中央部２０Ａを強い力で後方へ引き寄せて身体に安定的にフィットさせることができる。
【００３０】
また、サイズ調整バンド１２が、前ウエスト域１３のうちのクロッチ域１５側に配置されていることから、吸液性コア４８の位置する中央部２０Ａが後方へ引き寄せられることによって、レッグ開口２４の寸法も縮められて、着用者の身体にフィットされる。
【００３１】
かかる状態において、サイズ調整バンドの自由部が弾性を有していない場合には、着用者の姿勢が変化したときに、止着域による止着が解除されてウエスト開口縁部やレッグ開口縁部に隙間が生じ、特に着用者が横臥状態になったときには、レッグ開口から体液の横漏れを生じるおそれがある。本考案に係るおむつ１０では、サイズ調整バンド１２の自由部５４が弾性を有することによって、着用者の姿勢の変化によって生じる、止着域５６による止着を解除しようとする力やサイズ調整バンド１２自体を変形させようとする力（捩れや折曲を生じさせる力）を吸収し、着用中に姿勢が変化しても開口縁部を身体にフィットさせた状態を維持することができる。また、自由部５４のうちの比較的に広い範囲に弾性部５８が位置することによって、前下方ウエスト弾性域３７Ｂ及び後下方ウエスト弾性域３８Ｂと協働して、おむつ１０の身体に対するフィット性を向上させることができる。
【００３２】
また、サイズ調整バンド１２の固定部５３が吸液性コア４８の両側縁部上に位置し、サイズ調整バンド１２を後方へ引っ張ったときに吸液性コア４８の両側縁部が身体に押し当てられた状態のまま横方向Ｘへ拡げられるので、吸液性コア４８にその吸液性を低下させるようなギャザーが形成されていたとしてもそれが引き延ばされて、吸液面積が拡がって吸液性を向上させることができる。特に、サイズ調整バンド１２は、一対の自由部５４が固定部５３を中心として互いに逆方向に延びているため、両側部２０Ｂに位置する一対の自由部５４を互いに逆向き（左右）に引っ張って、固定部５３の位置する吸液性コア４８の両側縁部が左右に引っ張られるので、一方側縁部のみが後方へ引っ張る場合に比して、より吸液性コア４８全体を横方向Ｘへ拡げることができる。
【００３３】
かかる効果を奏するために、サイズ調整バンド１２は前ウエスト域１３においてレッグ開口２４側に配置されることが好ましく、その側縁１２ｄが前ウエスト域１３の下端縁（両内側縁１８ｄ）と近接又は重なるように配置されることがさらに好ましい。既述のとおり、サイズ調整バンド１２がレッグ開口２４側に配置されることによって、レッグ開口縁部を着用者の身体にフィットさせやすくなり、レッグ開口２４からの横漏れを防ぐことができ、特に、側縁１２ｄが前ウエスト域１３の下端縁と近接又は重なるように位置することによって、サイズ調整バンド１２がレッグ開口２４により近接し、レッグ開口２４とサイズ調整バンド１２との間に位置するシャーシ１１のフリル状の部分を含めて、レッグ開口縁部全体を身体によりフィットさせることができるからである。
【００３４】
また、サイズ調整バンド１２の止着域５６が後ウエスト域１４の外面に止着された状態において、止着域５６の位置する後ウエスト域１４の両側部２１Ｂには、弾性部５８の収縮作用によって前方へ向かう力が作用するので、後ウエスト域１４の中央部２１Ａに位置する吸液性コア４８の後端部全体が横方向Ｘへ拡げられて、その吸液性能を維持、向上させることができる。さらに、止着域５６が吸液性コア４８の後端部の両側縁と平面視において重なって位置する場合には、後端部が身体に向かって押し当てられるので、後端部の位置ずれを抑制することができる。
【００３５】
サイズ調整バンド１２の弾性部５８の長さ方向Ｒ、すなわち横方向Ｘにおける伸長応力Ｎ１は、前下方ウエスト弾性域３７Ｂの横方向Ｘにおける伸長応力Ｎ２よりも高く設定されていることが好ましい。また、おむつ１０の着用状態において前下方ウエスト弾性域３７Ｂと（前後に）対向する後下方ウエスト弾性域３８Ｂの横方向Ｘにおける伸長応力Ｎ３は、前下方ウエスト弾性域３７Ｂのそれよりも高く設定されていることが好ましい。具体的には、弾性部５８の伸長応力Ｎ１は、２．０〜３．５Ｎであり、前下方ウエスト弾性域３７Ｂの伸長応力Ｎ２は、０．３〜０．７Ｎであり、後下方ウエスト弾性域３８Ｂの伸長応力Ｎ３は１．２〜２．６Ｎに形成される。弾性部５８の伸長応力Ｎ１と後下方ウエスト弾性域３８Ｂの伸長応力は、同程度に設定されることが好ましく、伸長応力Ｎ１，Ｎ３の差が０．１〜１．０Ｎであることが好ましい。伸長応力Ｎ１と伸長応力Ｎ２との相関関係において、相対的に伸長応力Ｎ２が低く設定されていることによって、おむつ１０を着用するときにレッグ開口２４が比較的に大きく形成されて脚を通し易くなる一方、伸長応力Ｎ２よりも高い伸長応力Ｎ１を有する弾性部５８が前下方ウエスト弾性域３７Ｂとともにレッグ開口縁部を身体にフィットさせるので、よりフィット性を向上させることができる。また、両側部２０Ｂにおいて、前ウエスト域１３の弾性域による伸長応力と後ウエスト域１４における伸長応力Ｎ３とにおいて大きな応力差がある場合、例えば、前側が後側よりも高い伸長応力を有しておむつ１０が前側へ引っ張られた態様になる場合には、シーム部２２の位置するおむつ１０の両側縁部が前側へ偏倚し、おむつ１０全体が位置ずれを生じるおそれがある。したがって、少なくとも弾性部５８の伸長応力Ｎ１と後下方ウエスト弾性域３８Ｂの伸長応力Ｎ３を同程度に設定することで、前後におけるウエスト周りの伸長応力のバランスを保ち、安定した着用感を得ることができる。
【００３６】
通常のサイズ調整可能な止着テープを備えた着用物品において、止着テープが弾性を有しない場合には、その外面にギャザーが形成されることはない。したがって、各ウエスト弾性体によって複数のギャザーが形成されているシャーシの外面上に位置することによって外観上の統一感が損なわれ、かつ、止着テープの存在によって、下着ではなく使い捨てのおむつであることが容易に認識される。本実施形態に係るおむつ１０は、サイズ調整バンド１２の外面に弾性部５８によるギャザーが複数形成されるので、おむつ１０全体が外観上の統一感を有する。特に、弾性部５８においてウエスト弾性体と同様に複数条のストリング状又はストランド状の弾性体が配置されていることによって、弾性シートが配置されている場合に比して、より外観上の統一感を得ることができる。このように、おむつ１０全体が外観上の統一感を有することによって、より下着らしいパンツ型の着用物品を着用しているという満足感が得られ、よりアクティブに生活するための精神的なサポートをする役割を果たし得る。
【００３７】
図７は、第１実施形態にかかるおむつ１０の製造工程の一部であって、複数のシャーシ１１の基材となる複合パネル１００が機械方向ＭＤへ搬送される。複合パネル１００は、前ウエストパネル１８の基材となる第１複合パネル１０１と、後ウエストパネル１９の基材となる第２複合パネル１０２とを有し、第１及び第２複合パネル１０１，１０２の内部には前後ウエスト弾性体３４，３５に相当する連続弾性体１０５が配設されている。複合パネル１００の内面には、吸液性パネル１７が機械方向ＭＤに断続的に配置されている。連続弾性体１０５は、吸液性パネル１７と重なる領域において非接合状態に形成し、おむつ１０の縦軸Ｐに対応する位置で連続弾性体１０５を切断してカットバックすることにより、吸液構造体４１と重なる部位に非収縮領域が形成されている。第１及び第２複合パネル１０１，１０２は、隣接する吸液性パネル１７の離間距離を二等分する切断ライン１０８を挟み、交差方向ＣＤへ延びる一対の接合部位（シーム部２２）１０７を介して接合される。連続弾性体１０５は、一対の接合部位１０７間において第１及び第２複合パネル１０１，１０２に対し、接合状態又は非接合状態にすることができる。
【００３８】
かかる複合パネル１００において、第１複合パネル１０１の外面に、サイズ調整バンド１２の内外面シート６１，６２の基材となる連続バンド１０３を機械方向ＭＤにおいて連続的に配置する。連続バンド１０３は、吸液性パネル１７と重なる部位において第１複合パネル１０１と接合する。連続バンド１０３の内部には、バンド弾性体６３に相当する連続バンド弾性体１０４を配置し、吸液性パネル１７と重なる領域において非接合状態に形成し、おむつ１０の縦軸Ｐに対応する位置で連続バンド弾性体１０４を切断してカットバックすることにより、吸液構造体４１と重なる部位に非収縮領域が形成されている。また、連続バンド１０３の内面には、切断ライン１０８を中心として摘持部５７を形成するシート部材を機械方向ＭＤに断続的に配置し、該シート部材の内面には切断ライン１０８の両側に一対の止着域５６を配置している。最後に、複合パネル１００及び連続バンド１０３を切断ライン１０８に沿って切断して個々のおむつ１０を製造する。サイズ調整バンド１２は、止着域５６においておむつ本体に止着されるとともに、切断ライン１０８において切断するときに、おむつ本体の両側縁の一部と熱融着して仮止めされる。
【００３９】
このように、シャーシ１１の基材となる複合パネル１００に機械方向ＭＤに搬送しながら連続バンド１０３を取り付け、一度のカットでサイズ調整バンド１２を備えたおむつ１０を連続的に製造することができるので、製造された個々のおむつ本体に、別途に製造したサイズ調整バンド１２を取り付ける場合に比して簡易に製造することができる。また、シャーシ１１及びサイズ調整バンド１２を機械方向ＭＤ、すなわち横方向Ｘに伸長させた最大伸長時において、サイズ調整バンド１２の外端縁１２ａは前後ウエスト域１３，１４の両外側縁１８ｃ，１９ｃと互いに重なって仮止めされており、仮止めした状態でおむつ１０をパッケージすることができる。かかるおむつ１０では、パッケージから取り出した状態において、サイズ調整バンド１２の外端縁１２ａが前後ウエスト域１３，１４の両外側縁１８ｃ，１９ｃよりも外側へ位置して、着用時に外端縁１２ａが着用者の身体に触れて刺激を与えたりするおそれはない。また、サイズ調整バンド１２の外端縁１２ａがおむつ本体に仮止めされていなくても、止着域５６をおむつ本体に止着した状態で搬送、パッケージすることによって、同様の効果を得ることができる。
【００４０】
図７において拡大図Ｔ１は、一対の接合部位１０７間において、連続弾性体１０５が第１及び第２複合パネル１０１，１０２にホットメルト接着剤を介して接合された場合における、おむつ１０の側縁部の状態を示し、拡大図Ｔ２は、一対の接合部位１０７間において、連続弾性体１０５が第１及び第２複合パネル１０１，１０２に接合されていない場合における、おむつ１０の側縁部の状態を示す。
【００４１】
拡大図Ｔ１を参照すると、一対の接合部位１０７間において、連続弾性体１０５が第１及び第２複合パネル１０１，１０２にホットメルト接着剤を介して接合されている場合、おむつ１０は、前後ウエスト域１３，１４において、シーム部２２の横方向Ｘ外側に位置する部分に前後ウエスト弾性体３４，３５によって皺が形成される。かかるおむつ１０では、サイズ調整バンド１２を使用するときに、おむつ１０の側縁とサイズ調整バンド１２の外端縁１２ａ，１２ｂとの間に指を差し入れて摘持部５７を摘まみやすくすることができる。
【００４２】
拡大図Ｔ２を参照すると、一対の接合部位１０７間において、連続弾性体１０５が第１及び第２複合パネル１０１，１０２に接合されていない場合、連続弾性体１０５は、切断ライン１０８に対応する位置で切断されてカットバックすることにより、おむつ１０は、前後ウエスト域１３，１４において、シーム部２２の横方向Ｘ外側に位置する部分が弾性的に非伸縮に形成される。かかるおむつ１０では、シーム部２２の横方向Ｘ外側に位置する部分が、非伸縮に形成されたサイズ調整バンド１２の摘持部５７と外観上の統一感を有し、サイズ調整バンド１２の存在がはっきり視認されることがなく、一見してサイズ調整バンド１２付きのおむつ１０として認識されることはない。
【００４３】
＜伸長応力の測定方法＞
弾性部５８の伸長応力Ｎ１は、インストロン ジャパン カンパニーリミテッド社製の引張試験機（ＩＮＳＴＲＯＮ  型式：５５６４）を用い、引張速度を１００ｍｍ／ｍｉｎに設定して、以下の方法で測定した。サイズ調整バンド１２の一方の自由部５４及び固定部５３をおむつ１０から切り取って、固定部５３と弾性部５８及び弾性部５８と摘持部５７の境界にそれぞれ縦方向Ｙに延びる標線を記入する。標線内の弾性部５８がチャック間に位置するように標線に沿って固定部５３及び摘持部５７を一対のチャックで把持し、試片の最大伸長時（弾性材料の収縮作用によるギャザーがなくなる程度）の長さを測定する。測定後の試片を弛緩状態で２４時間、２０度の環境下で放置した後、一対のチャックで最大伸長時の８５％の長さまで伸長させ、その後、最大伸長時の７０％の状態まで収縮させて、７０％の状態における単位幅（１０ｍｍ幅）あたりの応力を測定した。前後下方ウエスト弾性域３７Ｂ，３８Ｂの伸長応力Ｎ２，Ｎ３についても同様に測定した。なお、前後下方ウエスト弾性域３７Ｂ，３８Ｂでは、サイズ調整バンド１２の試片と平面視において重なる部位（着用状態の前後方向において重なる部位）を切り取って試片とし、標線内の弾性部５８と平面視において重なる部位がチャック間に位置するように該試片を一対のチャックで把持して測定した。
【００４４】
＜第２実施形態＞
図８は、本願の第１実施形態に係る図４と同様の一部拡大図であり、図９は、図８のＩＸ−ＩＸ線に沿う模式的断面図である。本実施形態に係るおむつ１０は、第１実施形態にかかるそれと基本的構成が同一であるので、相違する点についてのみ以下に説明する。
【００４５】
本実施形態におけるサイズ調整バンド１２は、固定部５３と一対の自由部５４とを含み、固定部５３及び自由部５４は、複数のシート部材から形成された帯状シート８０を有する。帯状シート８０は、弾性的に非伸縮な非弾性シート８１と、少なくとも長さ方向Ｒに弾性的に伸長可能な弾性シート８２と、を有する。非弾性シート８１は、サイズ調整バンド１２の外面を形成し、公知の繊維不織布、例えば、質量が約１０〜４０ｇ／ｍ２のスパンボンド繊維不織布、ＳＭＳ繊維不織布やエアースルー繊維不織布から形成される。弾性シート８２は、シャーシ１１の非肌対向面に対向しており、エラストマー繊維を含む伸縮性繊維不織布によって形成され、伸長した状態で非弾性シート８１に取り付けられる。
【００４６】
自由部５４は、固定部５３に連接された、その長さ方向Ｒ（本実施形態における横方向Ｘ）に弾性的に伸縮可能な弾性部５８と、弾性部５８から外端縁１２ａ，１２ｂ側へ延びる摘持部５７（外端部５４ａ）とを有する。弾性部５８は、固定部５３と摘持部５７との間において、少なくとも一部が弾性的に伸縮可能であればよく、全体が弾性的に伸縮しない構成であってもよい。本実施形態において、弾性シート８２は固定部５３及び自由部５４に配置され、固定部５３及び摘持部５７において非弾性化処理されているが、少なくとも弾性部５８に配置されていればよい。
【００４７】
自由部５４の長さ方向Ｒにおける外端部５４ａには、止着域５６と、摘持部５７とが形成され、摘持部５７では、弾性シート８２に比較的に剛性の高い繊維不織布又はプラスチックフィルムから形成されたタブシート５７ａが接合されており、自由部５４における止着域５６の非存在領域と比べて剛性が高く、弾性的に非伸縮に形成されている。なお、タブシート５７ａに替えて、弾性シート８２の摘持部５７に、例えばエンボス・デボス加工による加圧処理又は加圧加熱処理を施し、摘持部５７の縦方向Ｙ及び／又は横方向Ｘにおける曲げ剛性を止着域５６の非存在領域よりも高くしてもよい。本実施形態において、固定部５３は一対の自由部５４を連結する連続したシート部材から構成されているが、例えば、サイズ調整バンド１２を形成するシート部材が中央部２０Ａで分離しており、横方向Ｘに離間する一対の固定部５３及び自由部５４からなる構成であってもよい。
【００４８】
第２実施形態におけるおむつ１０では、弾性シート８２の収縮によって非弾性シート８１に細かい皺が形成されるので、サイズ調整バンド１２の外面が柔らかな肌触りとなり、その外観は下着のような風合いを呈する。また、サイズ調整バンド１２の存在が目立たなくなり、より下着らしい印象を着用者に与えることができる。
【００４９】
＜第３実施形態＞
図１０は、第３実施形態におけるおむつ１０の正面図である。本実施形態に係るおむつ１０は、第１実施形態にかかるそれと基本的構成が同一であるので、相違する点についてのみ以下に説明する。
【００５０】
本実施形態に係るおむつ１０は、横方向Ｘに離間した一対のサイズ調整バンド（サイズ調整手段）１１２を備える。各サイズ調整バンド１１２は、長さ方向Ｒにおいて離間対向する外端縁１１２ａ及び内端縁１１２ｂと、幅方向Ｓにおいて離間対向する両側縁１１２ｃ，１１２ｄと、シャーシ１１に固定された固定部１５３と、固定部１５３から長さ方向Ｒへ延出する自由部１５４とを有する。各サイズ調整バンド１１２は、その長さ方向Ｒが縦方向Ｙ及び横方向Ｘと交差するようにそれらに対して斜めに配置される。固定部１５３は、それぞれ、平面視において吸液性コア４８の両側縁部と重なって位置する。したがって、他の実施形態と同様に、サイズ調整バンド１１２を使用することによって、前ウエスト域１３の中央部２０Ａが横方向Ｘの外側に引っ張られ、吸液性コア４８が拡げられた状態でおむつ１０を着用者の身体にフィットさせることができる。また、本実施形態のように、サイズ調整バンド１１２を吸液性コア４８の両側縁に対して斜めに配置した場合であっても、それを前ウエスト域１３のレッグ開口２４側に配置することによって、止着域５６を後ウエスト域１４又はクロッチ域１５に止着したときに、レッグ開口２４の外周寸法を小さくして、レッグ開口縁部を着用者の身体に密接させることができる。
【００５１】
本考案のパンツ型の着用物品１０を構成する各構成材料には、特に記述がなされている場合を除き、この種の分野において通常用いられている、各種の公知の材料を制限なく用いることができる。また、前後ウエスト域１３，１４が別体のシート部材から構成されたものではなく、前後ウエスト域１３，１４とクロッチ域１５とが一体に形成されていてもよい。具体的には、内外層シート３０，３１,３２，３３が、おむつ１０の外形をなす略砂時計状の一枚のシート部材から形成されていてもよい。また、明細書及び実用新案登録請求の範囲において、「第１」及び「第２」の用語は、同様の要素、位置等を単に区別するために用いられる。
【００５２】
以上に記載した本考案に関する開示は、少なくとも下記の事項に整理することができる。
【００５３】
縦方向Ｙ及び横方向Ｘと、肌対向面及びその反対側に位置する非肌対向面と、前ウエスト域１３と、後ウエスト域１４と、前後ウエスト域１３，１４間に位置するクロッチ域１５とを有するシャーシ１１と、前後ウエスト域１３，１４のうちのいずれか一方のウエスト域１３に位置するサイズ調整バンド１２と、前後ウエスト域１３，１４の両側縁部を連結するシーム部２２によって画成されるウエスト開口２３及び一対のレッグ開口２４とを含むパンツ型のおむつ１０において、サイズ調整バンド１２は、シャーシ１１の非肌対向面側に固定され、一方のウエスト域１３の横方向Ｘにおける中央部２０Ａ側に位置する固定部５３と、固定部５３の横方向Ｘの外側に位置する一対の自由部５４とを含み、自由部５４は、シャーシ１１の非肌対向面に止着可能な止着域５６と、固定部５３及び止着域５６の間に位置し、弾性的に伸縮可能な弾性部５８とを有する。
【００５４】
上記段落００５３に開示した本考案は、少なくとも下記の実施の態様を含むことができる。
（１）シャーシ１１は、クロッチ域１５から前後ウエスト域１３，１４へ延びる吸液性パネル１７を含み、固定部５３は、平面視において吸液性パネル１７と重なって位置する。
（２）シャーシ１１は、クロッチ域１５から前後ウエスト域１３，１４へ延びる防漏シート４３を含み、固定部５３は、平面視において防漏シート４３と重なって位置する。
（３）クロッチ域１５から前後ウエスト域１３，１４へ延びる吸液性コア４８をさらに含み、固定部５３は、平面視において吸液性コア４８と重なって位置する。
（４）サイズ調整手段１２は、横方向Ｘに延びる一対の側縁１２ｃ，１２ｄを有し、一対の側縁１２ｃ，１２ｄのうち、クロッチ域１５側の側縁１２ｄが、一方のウエスト域１３の下端縁（両内側縁１８ｄ）と近接又は重なるように配置される。
（５）一方のウエスト域１３は、固定部５３とシーム部２２との間に位置して横方向Ｘに弾性的に伸縮可能な第１ウエスト弾性域３７Ｂを有し、サイズ調整手段１２の弾性部５８の横方向Ｘにおける最大伸長の７０%伸長時における単位面積当たりの伸長応力は、第１ウエスト弾性域３７Ｂの横方向Ｘにおける最大伸長の７０%伸長時における単位面積当たりの伸長応力よりも高い。
（６）他方のウエスト域１４は、第１ウエスト弾性域３７Ｂと着用状態において対向する第２ウエスト弾性域３８Ｂを有し、第１ウエスト弾性域３７Ｂの横方向Ｘにおける伸長応力は、第２ウエスト弾性域３８Ｂの横方向Ｘにおける伸長応力よりも低い。
（７）サイズ調整手段１２は、長さ方向Ｒと、長さ方向Ｒに直交する幅方向Ｓとを有し、止着域５６の幅方向Ｓの寸法は、弾性部５８の幅方向Ｓの寸法よりも大きい。
（８）サイズ調整手段１２は、自由部５８の外端部５４ａが弾性的に非伸縮である。
（９）固定部５３は、一対の自由部５４を連結するシート部材からなり、シャーシ１１及びサイズ調整手段１２を横方向Ｘに伸長させた状態の最大伸長時において、自由部５４の外端縁１２ａ，１２ｂは、一方のウエスト域１３の両側縁部の側縁（両外側縁１８ｃ，１８ｄ）に一致する。
（１０）止着域５６は、他方のウエスト域１４におけるシャーシ１１の非肌対向面に止着可能である。
（１１）自由部５４の外端部５４ａには、弾性部５８と比べて剛性の高い摘持部５７が形成される。
（１２）弾性部５８は、弾性シートで形成される。
（１３）前後ウエスト域１３，１４においてシーム部２２よりも横方向Ｘの外側に位置する部分は、弾性的に非伸縮である。
（１４）サイズ調整手段１２の止着域５６が一方のウエスト域１３の非肌対向面に止着された状態でパッケージされる。
【符号の説明】
【００５５】
１０    パンツ型の使い捨ておむつ（パンツ型の着用物品）
１１    シャーシ
１２，１１２    サイズ調整バンド（サイズ調整手段）
１３    前ウエスト域
１４    後ウエスト域
１５    クロッチ域
２２    シーム部
４８    吸液性コア
５３，１５３    固定部
５４，１５４    自由部
５４ａ    外端部
５６    止着域
５７    摘持部
５８    弾性部
Ｒ    長さ方向
Ｓ    幅方向
Ｘ    横方向
Ｙ    縦方向
【図１】
0003211442.tif 000003
【図２】
0003211442.tif 000004
【図３】
0003211442.tif 000005
【図４】
0003211442.tif 000006
【図５】
0003211442.tif 000007
【図６】
0003211442.tif 000008
【図７】
0003211442.tif 000009
【図８】
0003211442.tif 000010
【図９】
0003211442.tif 000011
【図１０】
0003211442.tif 000012